(57)【特許請求の範囲】
【請求項１】
構内に設けた音声通話を行う情報機器間の音声情報の伝送と、撮像カメラを備えた情報機器から映像をモニタするモニタ手段を備えた情報機器への映像情報の伝送とを、構内のローカルネットワークを通じてＩＰプロトコルによるデジタル多重パケット伝送により行う構内通信システムであって、警報用報知コマンドを発する手段を備え、上記警報用報知コマンドの伝送を上記ローカルネットワークを通じてＩＰプロトコルによるデジタル多重パケット伝送により行う情報機器と、外部の公衆網と構内のローカルネットワークとの間に介在し、上記警報用報知コマンドを受信すると公衆網を経由して外部の電話機に音声メッセージで火災・非常通報する手段を備えたゲートウェイ機能付きゲートキーパーとを設け、上記ゲートウェイ機能付きゲートキーパーは、ＩＰプロトコルを用いて１つのみの接続端で上記ローカルネットワークと通信可能に接続するネットワークインターフェース部と、ＩＰプロトコルを用いて１つのみの接続端で上記外部の公衆網と通信可能に接続するインターフェース部とを備え、上記情報機器各種から送信される通信要求コマンドによって使用帯域を管理し、帯域が或る限界値以上になった場合に通信要求を拒否することにより使用帯域を制限するものであり、上記ローカルネットワーク内のローカル伝送と、上記ゲートウェイ機能付きゲートキーパーを介する上記ローカルネットワークと上記外部の公衆網との間の転送とのいずれもが、ＩＰプロトコルによるデジタル多重パケット伝送で実行することを特徴とする構内通信システム。
【請求項２】
映像情報を受信する情報機器には、受信した圧縮化されている映像情報を添付ファイルとした電子メールを生成するとともに、該電子メールを予め設定されているメールアドレス宛に送信するメール送信手段を備えていることを特徴とする請求項１記載の構内通信システム。
【請求項３】
音声情報の授受を行う情報機器に、他の情報機器との間で音声情報の授受を行っているときに受信した音声情報のパケットが欠落したことを検知すると、予め記憶してある背景雑音情報で欠落パケットの音声情報を補間する手段を備えていることを特徴とする請求項１又は２記載の構内通信システム。
【請求項４】
音声情報の授受を行う情報機器に、他の情報機器との間で音声情報の授受を行っているときに受信した音声情報のパケットが欠落したことを検知すると、欠落パケットの一つ前のパケットの音声情報で欠落パケットの音声情報を補間する手段を備えていることを特徴とする請求項１又は２記載の構内通信システム。
【請求項５】
映像情報を情報機器間で授受を行っている時に、映像のフレームレートを調整操作する機能を映像情報の授受を行う情報機器に備えていることを特徴とする請求項１乃至４のいずれか１項に記載の構内通信システム。
【請求項６】
ゲートウェイ機能付きゲートキーパーは、情報機器間で映像情報の授受を行っている時に、現在使用している帯域に応じて映像のフレームレートを調整指示する機能を備えたことを特徴とする請求項１乃至４のいずれか１項に記載の構内通信システム。
【請求項７】
情報機器間で映像情報の授受を行っているときに、映像情報のパケットの衝突回数や送信待ち時間のようなパケット送信状況を検出し、該検出内容に応じて映像のフレームレートを調整する機能を、映像情報を送信する情報機器に備えていることを特徴とする請求項１乃至４のいずれか１項に記載の構内通信システム。
【発明の詳細な説明】
【０００１】
【発明の属する技術分野】
本発明は、集合住宅や病院等における映像や音声、更に警報用報知コマンド情報の通信を行うための構内通信システムに関するものである。
【０００２】
【従来の技術】
構内通信システムの従来例として集合住宅用ホームオートメーションシステム（マンションＨＡシステム）構成を図１５に示す。
【０００３】
このマンションＨＡシステムは図示するようにロビーＬＢに設けられるロビーインターホン１、管理人室Ｋ等に設置されるホームオートメーション（ＨＡ）を統合するためのシステム親器２、各住戸Ｈに設置される住宅情報盤３及びドアホン子器４、各住戸Ｈ及び管理人室Ｋに設置される火災感知器等５から構成される。
【０００４】
このマンションＨＡシステムでの映像・音声通信は住宅情報盤３とロビーインターホン１との間、又は住宅情報盤３とシステム親器２との間、更にはロビーインターホン１とシステム親器２との間で行われる。
【０００５】
また、火災・非常の通報（警報用報知コマンドの伝達）は火災感知器５での火災検出時や、住宅情報盤３の非常ボタン（図示せず）の押し操作時に、住宅情報盤３とシステム親器２との間で行われる。
【０００６】
ところでこのマンションＨＡシステムのロビーインターホン１、システム親器２、各住戸Ｈに設けられる住宅情報盤３の夫々の間を接続する配線の形態としては、映像用に１ペア、音声用に１ペア、火災・非常警報用に１ペアの計３ペアのペア線からなる信号線６…が用いられる。
【０００７】
そして使用される信号の伝送方式として、映像信号にはアナログＦＭ変調信号が、また音声信号にはベースバンド信号が用いられ、また火災・非常の通報（警報伝達）はポーリングセレクティング方式通信で行われているのが通常である。
【０００８】
【発明が解決しようとする課題】
上述したマンションＨＡシステムでは、アナログ通信であるため、映像・音声通信で同時に１チャネル（通話）しか使用できず、しかも信号線が映像通信用、音声通信用、火災・非常の通報用に分かれているため、配線が複雑になるという問題がある。またこのマンションＨＡシステムにデータ通信を付加する場合、更に別の配線が必要となるため、機能拡張が困難であるという問題があった。
【０００９】
本発明は、上述の点に鑑みて為されたものであって、その目的とするところは情報をローカルネットワークの同一の信号線によって同時に複数チャネルで伝送することが可能で、省配線が図れ、しかも機能拡張も容易な構内通信システムを提供することにあり、加えて請求項１の発明の目的とするところは、外出先の携帯電話等の電話機へ火災発生や非常発生等の異常を知ることができる構内通信システムを提供することにある。
【００１０】
また請求項２の発明の目的とするところは、外出先の電子メール対応の携帯電話等メイラー搭載端末で留守時の映像を確認することができる構内通信システムを提供することにある。
【００１１】
更に請求項３、請求項４の発明の目的とするところは、受信側で音声情報のパケット受信エラーがあった場合でも，違和感のない音声を再生することができる構内通信システムを提供することにある。
【００１２】
また更に請求項５、請求項６、請求項７の発明の目的とするところは、使用帯域が混雑している場合等に映像のフレームレートを落とすことで使用帯域を抑えることができる構内通信システムを提供することにある。
【００１３】
【課題を解決するための手段】
上述の目的を達成するために、請求項１の発明では、構内に設けた音声通話を行う情報機器間の音声情報の伝送と、撮像カメラを備えた情報機器から映像をモニタするモニタ手段を備えた情報機器への映像情報の伝送とを、構内のローカルネットワークを通じてＩＰプロトコルによるデジタル多重パケット伝送により行う構内通信システムであって、警報用報知コマンドを発する手段を備え、上記警報用報知コマンドの伝送を上記ローカルネットワークを通じてＩＰプロトコルによるデジタル多重パケット伝送により行う情報機器と、外部の公衆網と構内のローカルネットワークとの間に介在し、上記警報用報知コマンドを受信すると公衆網を経由して外部の電話機に音声メッセージで火災・非常通報する手段を備えたゲートウェイ機能付きゲートキーパーとを設け、上記ゲートウェイ機能付きゲートキーパーは、ＩＰプロトコルを用いて１つのみの接続端で上記ローカルネットワークと通信可能に接続するネットワークインターフェース部と、ＩＰプロトコルを用いて１つのみの接続端で上記外部の公衆網と通信可能に接続するインターフェース部とを備え、上記情報機器各種から送信される通信要求コマンドによって使用帯域を管理し、帯域が或る限界値以上になった場合に通信要求を拒否することにより使用帯域を制限するものであり、上記ローカルネットワーク内のローカル伝送と、上記ゲートウェイ機能付きゲートキーパーを介する上記ローカルネットワークと上記外部の公衆網との間の転送とのいずれもが、ＩＰプロトコルによるデジタル多重パケット伝送で実行することを特徴とする。
【００１４】
請求項２の発明では、請求項１の発明において、映像情報を受信する情報機器には、受信した圧縮化されている映像情報を添付ファイルとした電子メールを生成するとともに、該電子メールを予め設定されているメールアドレス宛に送信するメール送信手段を備えていることを特徴とする。
【００１５】
請求項３の発明では、請求項１又は２の発明において、音声情報の授受を行う情報機器に、他の情報機器との間で音声情報の授受を行っているときに受信した音声情報のパケットが欠落したことを検知すると、予め記憶してある背景雑音情報で欠落パケットの音声情報を補間する手段を備えていることを特徴とする。
【００１６】
請求項４の発明では、請求項１又は２の発明において、音声情報の授受を行う情報機器に、他の情報機器との間で音声情報の授受を行っているときに受信した音声情報のパケットが欠落したことを検知すると、欠落パケットの一つ前のパケットの音声情報で欠落パケットの音声情報を補間する手段を備えていることを特徴とする。
【００１７】
請求項５の発明では、請求項１乃至４のいずれか１項の発明において、映像情報を情報機器間で授受を行っている時に、映像のフレームレートを調整操作する機能を映像情報の授受を行う情報機器に備えていることを特徴とする。
【００１８】
請求項６の発明では、請求項１乃至４のいずれか１項の発明において、ゲートウェイ機能付きゲートキーパーは、情報機器間で映像情報の授受を行っている時に、現在使用している帯域に応じて映像のフレームレートを調整指示する機能を備えたことを特徴とする。
【００１９】
請求項７の発明では、請求項１乃至４のいずれか１項の発明において、情報機器間で映像情報の授受を行っているときに、映像情報のパケットの衝突回数や送信待ち時間のようなパケット送信状況を検出し、該検出内容に応じて映像のフレームレートを調整する機能を、映像情報を送信する情報機器に備えていることを特徴とする。
【００２０】
【発明の実施の形態】
以下本発明を実施形態により説明する。
【００２１】
（実施形態１）
本実施形態は、請求項１の発明に対応するものであり、複数棟からなるマンションＨＡシステムに適用したもので、図１に示すように各棟Ｘ１…のロビーＬＢに設けられるロビーインターホン１及び監視カメラ装置７、管理人室Ｋに設けられるシステム親器２、ゲートキーパー／ゲートウェイ機器（以下ＧＫ／ＧＷ機器と言う）８、１０ＢＡＳＥ−Ｔや１００ＢＡＳＥ−Ｔ仕様（イーサネット(R)）のローカルネットワークの信号線Ｌを分岐するためのハブ１０、更に各棟Ｘ１…のローカルネットワークの接続機器と、システム親器２及びＧＫ／ＧＷ機器８との間のルーティングを行うためのルータ１１…及び各ルータ１１…に対してシステム親器２及びＧＫ／ＧＷ機器８からのネットワークの信号線Ｌを分岐するためのハブ１２、各住戸Ｈに設けられる住宅情報盤３、ドアホン子器４、各住戸Ｈ及び管理人室Ｋに設けられる火災感知器５から構成され、外部の公衆網ＰＴに対してはＧＫ／ＧＷ機器８を介して接続され、インターネットＩＮには公衆網ＰＴ上にアクセスポイントを設けたインターネット接続業者ＩＳＰを通じて接続される。また移動体通信網の基地局２００を通じて移動体端末２０１との間での通信が行えるようになっている。
【００２２】
そしてロビーインターホン１の撮像カメラ１０４（図５参照）、監視カメラ装置７の撮像カメラ７４（図６参照）で夫々撮像して得られた映像信号及び、ロビーインターホン１，住宅情報盤３、システム親器２の音声入出力手段の入力音声信号は夫々の機器においてデジタル変換後、符号化され、更に後述するコマンド等とともにパケット化されて、同一の信号線Ｌ上にＩＰプロトコルによるデジタル多重パケット伝送方式により送信されるようになっている。
【００２３】
尚本実施形態では、１０ＢＡＳＥ−Ｔに対応する伝送帯域を用いるが、必要となる伝送帯域に応じて、１００ＢＡＳＥや１０００ＢＡＳＥ仕様等に変更することが可能である。
【００２４】
本実施形態に用いる各機器の構成と機能について以下に説明する。
【００２５】
まず住宅情報盤３は図２に示すように、制御部３０、記憶部３１、操作部３２、映像処理部３３、表示部３４、音声処理部３５、音声入出力部３６、ネットワーク用インタフェース部３７、ドアホンインタフェース部３８，センサインタフェース部３９から構成された情報機器を構成する。
【００２６】
次に住宅情報盤３での映像情報と音声情報の通信（映像情報については受信のみ）、警報コマンド通信、警報表示、警報音出力を行うための機能について以下に説明する。
【００２７】
制御部３０はデータのパケット／アンパケット化、及び各部の統括を行い、記憶部３１は各種情報（映像情報、音声情報等）の保存を行い、操作部３２は各種のキーを備え、非常釦操作や、呼び出し先の番号入力等を行う。
【００２８】
ネットワーク用インタフェース部３７は他の機器（ロビーインターホン１、監視カメラ装置７、システム親器２、ＧＫ／ＧＷ部８、他の住宅情報盤３）とのパケット通信（映像情報、音声情報、各種データ、各種コマンド）を行うための送受信手段を構成するもので、ローカルのＩＰアドレスが割り当てられている。
【００２９】
ドアホンインタフェース部３８はドアホン子器４との映像信号、音声信号の送受信を行い、センサインタフェース部３９は火災感知器５からの警報用報知コマンドたる火災検出信号の検出を行う。
【００３０】
映像処理部３３はネットワーク用インタフェース部３７より受信され制御部３０でアンパケットされた映像情報、又は記憶部３１に予め保存されている警報用の映像情報を復号化、Ｄ／Ａ変換によるアナログ映像信号への変換を行う。
【００３１】
表示部３４は映像処理部３３からのアナログ映像信号の画面出力を行うモニタを構成する。
【００３２】
音声入出力部３６はアナログ音声信号の入出力をマイク（図示せず）とスピーカ（図示せず）とで音声通話のための音声の入出力を行う。
【００３３】
音声処理部３５は制御部３０でアンパケットされた音声情報、または記憶部３１に予め保存されている警報用の音声情報の復号化、Ｄ／Ａ変換によるアナログ音声信号への変換を行うとともに、音声入出力部３６より入力したアナログ音声信号のＡ／Ｄ変換、符号化を行って制御部３０へ渡す。
【００３４】
而して住宅情報盤３では音声処理部３３でＡ／Ｄ変換、符号化された音声情報を制御部３０に渡し、制御部３０では符号化された音声情報をパケット化し、このパケット化された音声情報を他のコマンドやデータとともにネットワーク用インタフェース部３７からＩＰプロトコルによりローカルネットワークの信号線Ｌ上にデジタル多重パケットで送信される。
【００３５】
また火災感知器５の火災検出や非常釦操作時に送出する警報用報知コマンド情報たるコマンドを含む各種コマンド、データは制御部３０で生成されて、上述のように音声情報のパケットとともにネットワーク用インタフェース部３７よりＩＰプロトコルによってパケット化されて伝送される（ＧＫ／ＧＷ機器８との間のコマンド通信については後述する）。
【００３６】
ＧＫ／ＧＷ機器８は図３に示すように、制御部８０、記憶部８１、ネットワーク用インタフェース部８２、ＩＳＤＮインタフェース部８３とから構成され、ＩＳＤＮ加入者回線網からなる公衆網ＰＴ、インターネットＩＮへの接続及び、帯域管理を行う。
【００３７】
制御部８０は本実施形態で使用される１０ＢＡＳＥ−Ｔと、ＩＳＤＮの信号変換、及び各部の統括を行い、記憶部８１は現在使用されている帯域情報の保管を行う。またネットワーク用インタフェース部８２はローカルなＩＰアドレスが割り当てられ、他機器（ロビーインターホン１、監視カメラ装置７、システム親器２、住宅情報盤３）とのＩＰプロトコルによるパケット通信（各種データ、各種コマンド）を行い、ＩＳＤＮインタフェース部８３は公衆網ＰＴ、及び公衆網ＰＴを介したインターネットＩＮとの通信を行う。
【００３８】
而してＧＫ／ＧＷ機器８のゲートウェイ機能部は、まず、ネットワーク用インタフェース部８２より、外部のＩＰアドレスや電話番号宛のパケットを受信した場合、制御部８０で信号変換（１０ＢＡＳＥ−Ｔ→ＩＳＤＮ）し、ＩＳＤＮインタフェース部８３より他のゲートウェイやインターネット接続業者ＩＳＰのアクセスポイントの電話番号へ発信し、回線接続後に音声情報、映像情報、相手先電話番号或いはＩＰアドレスのデータ等を転送する。
【００３９】
また、ＩＳＤＮインタフェース部８３より着信し、外部からデータを受信した場合は、制御部８０で信号変換（ＩＳＤＮ→１０ＢＡＳＥ−Ｔ）し、ネットワーク用インタフェース部８４より、ローカルネットワーク上の他の機器へデータを転送する。
【００４０】
尚本実施形態では、公衆網ＰＴとしてＩＳＤＮ加入者網を例に挙げたが、アナログ電話網やＡＤＳＬ（Ａｓｙｍｍｅｔｒｉｃ  Ｄｉｇｉｔａｌ  ＳｕｂｓｃｒｉｂｅｒＬｉｎｅ）、ＣＡＴＶ等にも対応することが可能である。
【００４１】
一方ＧＫ／ＧＷ機器８のゲートキーパー機能は制御部８０に搭載されており、各機器（ロビーインターホン１、住宅情報盤３、システム親器２、監視カメラ装置７）から送信される通信要求コマンドによって使用帯域を管理し、帯域が或る限界値以上になった場合は、通信要求を拒否することにより、使用帯域を制限する。
【００４２】
システム親器２は図４に示すように、制御部２０、記憶部２１、操作部２２、映像処理部２３、表示部２４、音声処理部２５、音声入出力部２６、ネットワーク用インタフェース部２７、センサインタフェース部２８から構成され、各部の機能としては住宅情報盤３の対応する各部の機能と同様な機能を有し、映像・音声、警報コマンド通信、警報表示、警報音出力を行い、更にその他の機能として住宅情報盤３からの火災発生や非常に対応する警報コマンドを受信した場合に、記憶部２１に予め登録されている各住宅情報盤３のネットワーク用インタフェース部３７のＩＰアドレス情報を参照し、他の複数の住宅情報盤３へ警報用報知コマンド情報をマルチキャスト通信する機能を持つ。
【００４３】
ロビーインターホン１は図５に示すように、制御部１００、記憶部１０１、操作部１０２、映像処理部１０３、撮像カメラ１０４、音声処理部１０５、音声入出力部１０６、ネットワーク用インタフェース部１０７から構成され、住宅情報盤３と同様に映像、音声通信機能を有するが、映像については撮像カメラ１０４から出力されるアナログ映像信号をキャプチャし、このアナログ映像信号を映像処理部１０３でＡ／Ｄ変換と、符号化を行い、この符号化された映像情報を更に制御部１００でパケット化し、ネットワーク用インタフェース部１０７を通じてＩＰプロトコルによるデジタル多重パケット伝送にて信号線Ｌ上に送信するようになっている。尚音声情報に関する通信処理は住宅情報盤３と同様に行われる。
【００４４】
監視カメラ装置７は図６に示すように、制御部７０、記憶部７１、操作部７２、映像処理部７３、撮像カメラ７４、 ネットワーク用インタフェース部７５から構成されているもので、音声情報の通信機能は持たず、映像情報の送信機能のみを持ち、一定時間毎に映像情報をシステム親器２や住宅情報盤３に伝送するようなっている。操作部７２は撮像カメラ７４の撮像方向に調整やフォーカス調整を行うための操作手段を構成する。尚映像情報に関する通信処理はロビーインターホン１と同様に行われる。
【００４５】
ここで本実施形態では、ロビーインターホン１が撮像カメラ１０４と映像処理手段１０３による映像入力手段を備え、音声処理部１０５及び音声入出力部１０６による音声出力手段及び音声入力手段を備えた情報機器を構成し、住宅情報盤３，システム親器２が映像処理部３３，２２及び表示部３４、２４による表示手段と、音声処理部３５，２５及び音声入出力部２６による音声入出力手段を備えた情報機器を構成する。
【００４６】
次にロビーインターホン１を例に挙げて本実施形態の映像情報・音声情報の伝送について説明する。
【００４７】
まずロビーインターホン１が映像情報、音声情報を伝送する際、図７に示すように制御部１００で通信開始要求コマンドを生成し、ＧＫ／ＧＷ機器８へＩＰプロトコルによるデジタル多重パケット伝送により送信すると、通信開始要求コマンドを受信したＧＫ／ＧＷ機器８は記憶部８１にロビーインターホン１のＩＰアドレス、使用帯域量といった帯域情報を保存するとともに通信開始応答コマンドをＩＰプロトコルによるデジタル多重パケット伝送により送信する。
【００４８】
そして、ロビーインターホン１はＧＫ／ＧＷ機器８からの通信開始応答コマンドを受信後、映像情報、音声情報を操作部１０２で入力された呼び出し番号（呼び出し先が例えば住宅情報盤３の場合には当該住戸情報盤３に割り当ててある番号）に対応する宛先ＩＰアドレスをパケットの宛先ヘッダに書き込んだ上でＩＰプロトコルによるデジタル多重パケットによって伝送する。
【００４９】
尚記憶部１０１には各呼び出し番号とそれに対応するＩＰアドレスの読替テーブルが格納されているものとする。
【００５０】
またＧＫ／ＧＷ機器８は記憶部８１で帯域情報を管理するが、帯域が予め設定した値以上になった場合は、例えばロビーインターホン１からの通信開始要求コマンドを受信しても、ＧＫ／ＧＷ機器８は制御部８０の判断の下で通信開始拒否コマンドを返信することで、映像情報、音声情報の伝送を拒否し、使用帯域を制限する。
【００５１】
一方上記のパケットの宛先ヘッダに書き込まれたＩＰアドレスが割り当てられているＩＰアドレスと一致する住宅情報盤３では、ネットワーク用インタフェース部３７を通じて受信したロビーインターホン１からの映像情報及び音声情報のパケットを制御部３０でアンパケットする。そのアンパケットされた映像情報及び音声情報は映像処理部３３及び音声処理部３５で復号されるとともにＤ／Ａ変換され、アナログ映像信号は表示部３４へ、アナログ音声信号は音声入出力部３６へ夫々入力して表示部３４で映像が、音声入出力部３６では音声が夫々再生される。
【００５２】
更にまた音声入出力部３６で入力される音声信号は音声処理部３５でＡ／Ｄ変換しされた後符号化され、この符号化された音声情報は処理部３０にてパケット化され且つロビーインターホン１のＩＰアドレスが宛先としてヘッダに付与された上でネットワーク用インタフェース部３７を通じてＩＰプロトコルによるデジタル多重パケット伝送にてローカルネットワークの信号線１上に送信される。
【００５３】
この住宅情報盤３から送出されるパケット化された音声情報はロビーインターホン１のネットワーク用インタフェース部１０７を通じて制御部１００に取り込まれてアンパケットされた後、音声処理部１０５で復号されるとともにＤ／Ａ変換され、音声入出力部１０６で再生される。
【００５４】
このようにしてロビーインターホン１からは撮像カメラ１０４で撮像された映像と音声入出力部１０６で入力された音声の情報がＩＰプロトコルによるデジタル多重パケットで伝送され、受信側となる住宅情報盤３からは音声入出力部３６で入力された音声の情報がＩＰプロトコルによるデジタル多重パケットで伝送されることになる。
【００５５】
さて次に上述の映像情報、音声情報の伝送を終了する場合には、住宅情報盤３の操作部３２若しくはロビーインターホン１の操作部１０２で終話操作を行うのであるが、この場合終話操作を行った側の制御部３０又は１００で通信終了コマンドを生成してＧＫ／ＧＷ機器８へ送信して、ＧＫ／ＧＷ機器８に通信の終了を通知する。通信終了コマンドを受信したＧＫ／ＧＷ機器８は記憶部８１の該当する機器、この場合は呼び出し側となるロビーインターホン１の帯域情報を削除し、ロビーインターホン１へ通信終了応答コマンドを送信する。
【００５６】
尚住宅情報盤３、システム親器２等の各機器が音声情報を伝送する場合、或いは監視カメラ装置７が映像情報を伝送する場合もロビーインターホン１と同様にＧＫ／ＧＷ機器８との間の通信開始要求コマンド及び通信開始応答コマンドの送受に基づいて行う。勿論この場合も夫々の操作部３２や２２で入力される或いは７２で設定されている呼び出し先番号に対応するＩＰアドレスがパケットの宛先ヘッダに書き込まれる。この場合も住宅情報盤３，システム親器２，監視カメラ装置７の記憶部３１，２１，７１には呼び出し先番号とＩＰアドレスの読替用テーブルが格納されているものとする。
【００５７】
また音声情報のＩＰプロトコルは一般的にＶｏＩＰと称せられるもので、ここではＩＴＵ−Ｔ勧告．３２３やＩＥＴＦが標準化を進めているＭＧＣＰ等を用い、また映像情報のＩＰプロトコルも標準とされるものを用いることとする。
【００５８】
ところで本実施形態では、警報用報知コマンドに基づいて外部に所定の電話番号先へ音声メッセージに伝える手段を備えている。
【００５９】
つまり図８に示すように住宅情報盤３のセンサインタフェース部３９で火災感知器５より火災検出信号が入力されると、又は操作部３２の非常釦の操作情報が入力されると制御部３０は予め記憶部３１に登録している送信先（通報先）の電話番号を取り出し，この電話番号を含む警報用報知コマンド情報を生成し、ＩＰプロトコルによるデジタル多重パケットによりＧＫ／ＧＷ機器８へ送信する。ＧＫ／ＧＷ機器８は警報用報知コマンド情報をネットワーク用インタフェース部８２を介して制御部８０に取り込み、この警報用報知コマンド情報を取り込んだ制御部８０は警報用報知コマンド情報に含まれる電話番号の電話機（本実施形態では携帯電話２０１）に対してＩＳＤＮインタフェース部８３を介して発呼し、ＩＳＤＮ等の公衆網ＰＴと基地局２００を介して呼び出し先の携帯電話２０１との間で通話路が確立すると、記憶部８１に保存されている火災発生や非常発生の音声メッセージから警報用報知コマンド情報の内容に対応するメッセージを携帯電話２０１へ送信して火災発生や非常発生を伝えるのである。これにより外部の通報先へ火災発生や非常発生を通報することができることになる。
【００６０】
（実施形態２）
本実施形態は請求項２の発明に対応するものであって、図９に示すようにパケットでロビーインターホン１や監視カメラ装置７等送られてきた映像情報をネットワーク用インタフェース部３７を介して取り込んだ住宅情報盤３の制御部３０はアンパケット化した後、圧縮した映像情報として一旦記憶部３１に記憶しておき、この記憶した圧縮された映像情報を添付ファイルとした電子メール（以下Ｅ−Ｍａｉｌと言う）（Ｍ）を制御部３０に備えた電子メール送信機能により自動的に作成して記憶部３１に予め登録してあるメール送信先アドレスへ転送する点に特徴がある。
【００６１】
而して送信されたＥ−Ｍａｉｌ（Ｍ）はＧＫ／ＧＷ機器８の制御部８０にネットワーク用インタフェース部８２を通じて取り込まれ、制御部８０では取り込んだＥ−Ｍａｉｌ（Ｍ）をローカルネットワークの信号形態からＩＳＤＮの信号形態に変換して、ＩＳＤＮインタフェース部８３を通じて公衆網ＰＴよりインターネット接続業者ＩＳＰのゲートウェイ機器（ＧＷ０）に送信する。このインターネット接続業者ＩＳＰのゲートウェイ機器（ＧＷ０）はＥ−Ｍａｉｌ（Ｍ）を元の信号に戻し、インターネット接続業者ＩＳＰのメールサーバ（ＭＳ０）へ送信し、メールサーバ（ＭＳ０）は受信したＥ−Ｍａｉｌ（Ｍ）をインターネットＩＮより、送信先のアドレスを管理するメールサーバ（ＭＳ１）へ送信する。このようにして、最終的にＥ−Ｍａｉｌ（Ｍ）を受信した（送信先アドレスを管理する）メールサーバ（ＭＳ１）がゲートウェイ（ＧＷ１）を介して送信先のＥ−Ｍａｉｌ機能付携帯電話２０１等に基地局２００を介して配信する。これによりＥ−Ｍａｉｌ（Ｍ）に添付されている映像情報が外出先の携帯電話２０１等で伸張されて表示器で再生されることで確認できることになる。
【００６２】
尚その他の構成及び動作は実施形態１と同じあるので、図示及び説明を省略する。
【００６３】
（実施形態３）
本実施形態は請求項３の発明に対応するものであって、図１０に示すように、例えば住宅情報盤３、３間で音声情報の授受を行っている際に、一方の住宅情報盤３から音声情報のパケット（例えば図１０に示す”音声３”）を受信している時に当該パケットが欠落してパケット受信エラーが発生した場合（図において×で示す）、受信エラーとなった音声情報のパケットの代わりに受信側の住宅情報盤３の制御部３０の記憶部３１に予め記憶してある背景雑音情報（ＮＳ）を取り出して、欠落パケットの代わりにパケットの列（図において”音声１”、”音声２”と示す。）の本来欠落したパケットが入る位置に配置して音声処理部３５に送信することによって欠落パケットの音声情報を背景雑音情報（ＮＳ）で補間する点に特徴がある。
【００６４】
尚住宅情報盤３を含むその他の構成及び動作は実施形態１と同じあるので、図示及び説明を省略する。また本実施形態の補間処理の機能は実施形態２に対応するシステムにも適用できる。更に本実施形態の補間処理の機能は，住宅情報盤３に限らず、システム親器２やロビーインターホン１での音声通信においても適用できる。
【００６５】
（実施形態４）
本実施形態は請求項４の発明に対応するものであって、図１１に示すように例えば、住宅情報盤３の制御部３０の制御の下で、現在受信しようとする音声情報のパケットの一つ前のパケットの音声情報を記憶部３１に保存して受信エラーが発生した場合に、記憶部３１に記憶している一つ前のパケットの音声情報で欠落パケットの音声情報を補間する点に特徴がある。
【００６６】
つまり図１１に示すように、例えば住宅情報盤３、３間で音声情報の授受を行っている際に、一方の住宅情報盤３から音声情報のパケット（例えば図１０に示す”音声３”）を受信している時に当該パケットが欠落してパケット受信エラーが発生した場合（図において×で示す）、受信エラーとなった音声情報のパケットの代わりに受信側の住宅情報盤３の制御部３０は記憶部３１に記憶している一つ前のパケットの音声情報（図では”音声２”と示す）を読み出して、欠落パケットの代わりにパケットの列（図において”音声１”、”音声２”と示す。）の本来欠落パケットが入る位置に配置して音声処理部３５に送信することによって一つの前のパケットの音声情報で補間するのである。
【００６７】
尚住宅情報盤３を含むその他の構成及び動作は実施形態１と同じあるので、図示及び説明を省略する。本実施形態の補間処理の機能は実施形態２に対応するシステムにも適用できる。また本実施形態の補間処理機能を，住宅情報盤３に限らず、システム親器２やロビーインターホン１での音声通信においても適用できる。
【００６８】
（実施形態５）
本実施形態は請求項５の発明に対応するものであって、図１２に示すようにロビーインターホン１から住宅情報盤３に映像情報のパケット（図１２では”映像１”、”映像２”…と示す）を送信する時、ロビーインターホン１の操作部１０２からの操作情報に応じて制御部１００（図５参照）の制御の下で、ロビーインターホン１から住宅情報盤３に送信する映像情報のフレームレート（１秒間に送信するフレーム数）を変更する機能を持たせた点に特徴があり、図１２（ａ）の場合はフレーム数が例えば３０ｆｐｓであるが、上記操作により図１２（ｂ）に示すようにフレーム数を１５ｆｐｓに変更することが可能となる。
【００６９】
尚ロビーインターホン１を含むその他の構成及び動作は実施形態１と同じあるので、図示及び説明を省略する。勿論本実施形態の機能は実施形態２〜４に対応するシステムにも適用できる。
【００７０】
（実施形態６）
本実施形態は請求項６の発明に対応するものであって、図１３に示すように帯域管理を行うＧＫ／ＧＷ機器８の制御部８０（図３参照）が、現在使用されている帯域に応じて，ロビーインターホン１へ映像情報のフレームレート値を含む制御コマンド情報（ＣＭ）をパケット化して送信し、制御コマンド（ＣＭ）を受信したロビーインターホン１の制御部１００（図５参照）は住宅情報盤３に送信する映像情報のフレームレート（１秒間に送信するフレーム数）を自動的に変更する機能を持たせた点に特徴があり、図１３（ａ）の場合はフレーム数が例えば３０ｆｐｓであるが、図１３（ｂ）は上記制御コマンド（ＣＭ）によりフレーム数が１５ｆｐｓに変更されている状態を示す。
【００７１】
尚ロビーインターホン１及びＧＫ／ＧＷ機器８を含むその他の構成及び動作は実施形態１と同じあるので、図示及び説明を省略する。勿論本実施形態の機能は実施形態２〜４に対応するシステムにも適用できる。
（実施形態７）
本実施形態は請求項７の発明に対応するものであって、図１４に示すようにロビーインターホン１から住宅情報盤３に映像情報を送信する時に、ロビーインターホン１のネットワーク用インタフェース部１０７（図５参照）で他の機器が送信する情報のパケットとの衝突回数や他の機器によるパケット送信に対する待ち時間等のパケット送信状況を検出する機能を持たせ、その検出値に基づいてロビーインターホン１は制御部１００の制御の下で住宅情報盤３に送信する映像情報のフレームレート（１秒間に送信するフレーム数）を自動的に変更する点に特徴があり、図１４（ａ）の場合はフレーム数が例えば３０ｆｐｓであるが、図１４（ｂ）は上記制御によりフレーム数が１５ｆｐｓに変更されている状態を示す。
【００７２】
尚ロビーインターホン１及びＧＫ／ＧＷ機器８を含むその他の構成及び動作は実施形態１と同じあるので、図示及び説明を省略する。勿論本実施形態の機能は実施形態２〜４に対応するシステムにも適用できる。
【００７３】
【発明の効果】
請求項１の発明は、構内に設けた音声通話を行う情報機器間の音声情報の伝送と、撮像カメラを備えた情報機器から映像をモニタするモニタ手段を備えた情報機器への映像情報、警報用報知コマンド情報の伝送とを、構内のローカルネットワークを通じてＩＰプロトコルによるデジタル多重パケット伝送により行う構内通信システムであるので、映像情報、音声情報、警報用報知コマンド情報を同一のローカルネットワークの信号線を用いて同時に複数チャネルで送受信することができ、その結果省配線が図れ且つ機能拡張も容易であるという効果があり、しかも外部の公衆網と構内のローカルネットワークとの間に介在し、上記警報用報知コマンドを受信すると公衆網を経由して外部の電話機に音声メッセージで火災・非常通報する手段を備えたゲートウェイとを設けているので、外出先の携帯電話等の電話機へ火災発生や非常発生等の異常を知らせることができるという効果がある。
【００７４】
請求項２の発明は、構内に設けた音声通話を行う情報機器間の音声情報の伝送と、撮像カメラを備えた情報機器から映像をモニタするモニタ手段を備えた情報機器への映像情報の伝送とを、構内のローカルネットワークを通じてＩＰプロトコルによるデジタル多重パケット伝送により行う構内通信システムであるので、映像情報、音声情報を同一のローカルネットワークの信号線を用いて同時に複数チャネルで送受信することができ、その結果省配線が図れ且つ機能拡張も容易であるという効果があり、しかも映像情報を受信する情報機器には、受信した圧縮化されている映像情報を添付ファイルとした電子メールを生成するとともに、該電子メールを予め設定されているメールアドレス宛に送信するメール送信手段を備えているので、外出先の電子メール対応の携帯電話等メイラー搭載端末で留守時の映像を確認することができるという効果がある。
【００７５】
請求項３の発明は、構内に設けた音声通話を行う情報機器間の音声情報の伝送と、撮像カメラを備えた情報機器から映像をモニタするモニタ手段を備えた情報機器への映像情報の伝送とを、構内のローカルネットワークを通じてＩＰプロトコルによるデジタル多重パケット伝送により行う構内通信システムであるので、映像情報、音声情報を同一のローカルネットワークの信号線を用いて同時に複数チャネルで送受信することができ、その結果省配線が図れ且つ機能拡張も容易であるという効果があり、しかも音声情報の授受を行う情報機器に、他の情報機器との間で音声情報の授受を行っているときに受信した音声情報のパケットが欠落したことを検知すると、予め記憶してある背景雑音情報で欠落パケットの音声情報を補間する手段を備えているので、受信側で音声情報のパケット受信エラーがあった場合でも，違和感のない音声を再生することができるという効果がある。
【００７６】
請求項４の発明は、構内に設けた音声通話を行う情報機器間の音声情報の伝送と、撮像カメラを備えた情報機器から映像をモニタするモニタ手段を備えた情報機器への映像情報の伝送とを、構内のローカルネットワークを通じてＩＰプロトコルによるデジタル多重パケット伝送により行う構内通信システムであるので、映像情報、音声情報を同一のローカルネットワークの信号線を用いて同時に複数チャネルで送受信することができ、その結果省配線が図れ且つ機能拡張も容易であるという効果があり、しかも音声情報の授受を行う情報機器に、他の情報機器との間で音声情報の授受を行っているときに受信した音声情報のパケットが欠落したことを検知すると、欠落パケットの一つ前のパケットの音声情報で補間するので、受信側で音声情報のパケット受信エラーがあった場合でも，違和感のない音声を再生することができるという効果がある。
【００７７】
請求項５の発明は、構内に設けた音声通話を行う情報機器間の音声情報の伝送と、撮像カメラを備えた情報機器から映像をモニタするモニタ手段を備えた情報機器への映像情報の伝送とを、構内のローカルネットワークを通じてＩＰプロトコルによるデジタル多重パケット伝送により行う構内通信システムであるので、映像情報、音声情報を同一のローカルネットワークの信号線を用いて同時に複数チャネルで送受信することができ、その結果省配線が図れ且つ機能拡張も容易であるという効果があり、しかも映像情報を情報機器間で授受を行っている時に、映像のフレームレートを調整操作する機能を映像情報の授受を行う情報機器に備えているので、使用帯域が混雑している場合等に映像のフレームレートを落とすことで使用帯域を抑えることができるという効果がある。
【００７８】
請求項６の発明は、構内に設けた音声通話を行う情報機器間の音声情報の伝送と、撮像カメラを備えた情報機器から映像をモニタするモニタ手段を備えた情報機器への映像情報の伝送とを、構内のローカルネットワークを通じてＩＰプロトコルによるデジタル多重パケット伝送により行う構内通信システムであるので、映像情報、音声情報を同一のローカルネットワークの信号線を用いて同時に複数チャネルで送受信することができ、その結果省配線が図れ且つ機能拡張も容易であるという効果があり、しかも情報機器間で映像情報の授受を行っている時に、現在使用している帯域に応じて映像のフレームレートを調整指示する機能を備えたゲートキーパーを設けているので、使用帯域が混雑している場合等に映像のフレームレートを落とすことで使用帯域を抑えることができるという効果がある。
【００７９】
請求項７の発明は、構内に設けた音声通話を行う情報機器間の音声情報の伝送と、撮像カメラを備えた情報機器から映像をモニタするモニタ手段を備えた情報機器への映像情報の伝送とを、構内のローカルネットワークを通じてＩＰプロトコルによるデジタル多重パケット伝送により行う構内通信システムであるので、映像情報、音声情報、警報用報知コマンド情報を同一のローカルネットワークの信号線を用いて同時に複数チャネルで送受信することができ、その結果省配線が図れ且つ機能拡張も容易であるという効果があり、しかも情報機器間で映像情報の授受を行っているときに、映像情報のパケットの衝突回数や送信待ち時間のようなパケット送信状況を検出し、該検出内容に応じて映像のフレームレートを調整する機能を、映像情報を送信する情報機器に備えているので、使用帯域が混雑している場合等に映像のフレームレートを落とすことで使用帯域を抑えることができるという効果がある。
【図面の簡単な説明】
【図１】本発明の実施形態１のシステム全体の構成図である。
【図２】同上に用いる住宅情報盤の回路構成図である。
【図３】同上に用いるゲートキーパー／ゲートウェイ機器の回路構成図である。
【図４】同上に用いるシステム親器の回路構成図である。
【図５】同上に用いるロビーインターホンの回路構成図である。
【図６】同上に用いる監視カメラ装置の回路構成図である。
【図７】同上に用いるロビーインターホンとゲートキーパー／ゲートウェイ機器との間におけるコマンド通信よる帯域管理の処理例の説明図である。
【図８】同上に用いる住宅情報盤とゲートキーパー／ゲートウェイ機器との間における警報用報知コマンド情報の処理例の説明図である。
【図９】本発明の実施形態２に用いる住宅情報盤とゲートキーパー／ゲートウェイ機器との間における映像情報の処理例の説明図である。
【図１０】本発明の実施形態３に用いる住宅情報盤のパケット欠落時の処理例の説明図である。
【図１１】本発明の実施形態４に用いる住宅情報盤のパケット欠落時の処理例の説明図である。
【図１２】本発明の実施形態５における映像情報のフレーム数の変更処理例の説明図である。
【図１３】本発明の実施形態６における映像情報のフレーム数の変更処理例の説明図である。
【図１４】本発明の実施形態７における映像情報のフレーム数の変更処理例の説明図である。
【図１５】従来例のシステム構成図である。
【符号の説明】
１  ロビーインターホン
２  システム親器
３  住宅情報盤
４  ドアホン子器
５  火災感知器
７  監視カメラ装置
８  ゲートキーパー／ゲートウェイ機器
１０，１２  ハブ
１１  ルータ
Ｘ１，Ｘ２  棟
ＬＢ  ロビー
Ｈ    住戸
Ｌ  信号線
ＰＴ  公衆網
ＩＳＰ  インターネット接続業者
ＩＮ    インターネット
２００  基地局
２０１  移動体通信端末
【図１】
0003937799.tif 000002
【図２】
0003937799.tif 000003
【図３】
0003937799.tif 000004
【図４】
0003937799.tif 000005
【図５】
0003937799.tif 000006
【図６】
0003937799.tif 000007
【図７】
0003937799.tif 000008
【図８】
0003937799.tif 000009
【図９】
0003937799.tif 000010
【図１０】
0003937799.tif 000011
【図１１】
0003937799.tif 000012
【図１２】
0003937799.tif 000013
【図１３】
0003937799.tif 000014
【図１４】
0003937799.tif 000015
【図１５】
0003937799.tif 000016